(57)【要約】【課題】受信環境の劣化時にスキャンを行ってプリセットテーブルの更新を行いつつ、発生した受信環境の劣化が一時的なものである場合には、劣化発生前のプリセットテーブルを継続して利用可能とする「デジタルテレビ放送受信装置」を提供する。【解決手段】視聴中の放送局の受信品質が劣化したときに行う良好に受信できる放送局のスキャンにおいて、良好に受信できる放送局としてプリセットテーブルPTに登録されている放送局が一つでも探索された場合には、プリセットテーブルPTを更新せずに、そのまま維持し(a）、プリセットテーブルに登録されている放送局が一つも探索されなかった場合には、プリセットテーブルPTをクリアし、探索した放送局を登録する（ｂ）。【選択図】図５
2020053900.tif 000002
【特許請求の範囲】
【請求項１】
デジタルテレビ放送を受信するデジタルテレビ放送受信装置であって、
複数の放送局を登録したプリセットテーブルと、
プリセットテーブルに登録された放送局のうちから選択された放送局を視聴対象放送局として、視聴対象放送局のデジタルテレビ放送を受信し、ユーザに対して出力する視聴対象放送局受信手段と、
前記視聴対象放送局の受信品質が劣化したときに、良好に受信可能な放送局を探索し、探索した放送局のうちに、プリセットテーブルに登録されている放送局と同じ放送局が存在するかどうかを判定し、存在した場合に、プリセットテーブルの各放送局の登録を維持し、存在しなかった場合に、プリセットテーブルの各放送局の登録を解除して、プリセットテーブルに、探索した各放送局を登録するプリセットテーブル更新手段とを有することを特徴とするデジタルテレビ放送受信装置。
【請求項２】
請求項１記載のデジタルテレビ放送受信装置であって、
前記プリセットテーブル更新手段は、前記探索した放送局のうちに、プリセットテーブルに登録されている放送局と同じ放送局が存在し、かつ、前記探索した放送局のうちに、プリセットテーブルに登録されていない放送局が存在した場合に、当該探索したプリセットテーブルに登録されていない放送局を、前記プリセットテーブルに追加登録することを特徴とするデジタルテレビ放送受信装置。
【請求項３】
請求項１または２記載のデジタルテレビ放送受信装置であって、
前記プリセットテーブルには、当該プリセットテーブルに登録された放送局と対応づけて、当該放送局の周波数チャネルが登録されており、
前記プリセットテーブル更新手段は、前記探索した放送局のうちに存在したプリセットテーブルに登録されている放送局と同じ放送局の周波数チャネルである探索周波数チャネルが、当該探索周波数チャネルの放送局と同じ放送局に対応づけて前記プリセットテーブルに登録されている周波数チャネルと異なる場合には、当該プリセットテーブルに登録されている周波数チャネルを、前記探索周波数チャネルに更新することを特徴とするデジタルテレビ放送受信装置。
【請求項４】
請求項１、２または３記載のデジタルテレビ放送受信装置であって、
当該デジタルテレビ放送受信装置は、自動車に搭載されるデジタルテレビ放送受信装置であることを特徴とするデジタルテレビ放送受信装置。
【発明の詳細な説明】
【技術分野】
【０００１】
本発明は、移動体に搭載されたデジタルテレビ放送受信装置において受信可能な放送局を登録したプリセットテーブルを更新する技術に関するものである。
【背景技術】
【０００２】
移動体に搭載されたデジタルテレビ放送受信装置において受信可能な放送局を登録したプリセットテーブルを更新する技術としては、受信中の放送局の受信品質が低下したときに、良好に受信可能な放送局を探索するスキャンを実行し、プリセットテーブルを、探索した良好に受信可能な放送局を登録したプリセットテーブルに更新する技術が知られている（たとえば、特許文献１）。
【０００３】
ここで、プリセットテーブルは、放送を受信する放送局の選定に用いられるテーブルであり、たとえば、プリセットテーブルに登録されている放送局のリストを表示して、リスト上でユーザから選択を受け付けた放送局に、放送を受信する放送局を切り替える用途等に用いられる。
【先行技術文献】
【特許文献】
【０００４】
【特許文献１】特開２００９-１８８４９２号公報
【発明の概要】
【発明が解決しようとする課題】
【０００５】
移動体の一時的な弱電界エリアへの侵入等の要因などにより、一時的に受信環境が劣化した場合には、当該受信環境が劣化している期間の前後において良好に受信可能な放送局のセットは同じとなる。
【０００６】
しかし、上述した受信中の放送局の受信品質が低下したときにスキャンを実行しプリセットテーブルを更新する技術によれば、受信環境が劣化した時点で、プリセットテーブルが、その時点で良好に受信可能な放送局のみが登録されたプリセットテーブルに更新されてしまうことになるため、当該受信環境が劣化している期間が経過した後も、プリセットテーブルに登録されている放送局は、受信環境が劣化している期間中において良好に受信可能であった放送局のみに限定されてしまうこととなる。
【０００７】
そして、このために、一時的に受信環境が劣化した期間の前にプリセットテーブルに登録されていた放送局であって、かつ、当該期間の経過後に良好に受信可能である放送局であっても、当該放送局が受信環境が劣化している期間において良好に受信可能でなかった場合には、ユーザは、当該放送局をプリセットテーブルを利用して視聴することはできず、当該放送局を視聴するために、再度のスキャンの実行などの煩雑な操作と、比較的長時間を要するスキャンの完了までの時間の待機を受忍することが必要となる。
【０００８】
また、ユーザが視聴中の放送局が、放送を正常に受信できないほどには受信品質が劣化していない場合でも、スキャンによって良好に受信可能な放送局でないと判定されてプリセットテーブルから除外されて、デジタルテレビ放送受信装置において受信できない放送局として取り扱われることがあり、この場合、その後、当該視聴していた放送局を継続して視聴できなくなってしまう。
【０００９】
また、デジタルテレビ放送受信装置が、プリセットテーブルに登録されている放送局のリストを常時表示するものである場合には、同じ地域内に位置しているのにリストに表示される放送局が増減してしまうユーザにとって不自然な動作が行われてしまうこととなり、ユーザにデジタルテレビ放送受信装置に対する不審感を与えてしまうこともある。
【００１０】
そこで、本発明は、受信環境の劣化時にスキャンを行ってプリセットテーブルの更新を行うデジタルテレビ放送受信装置において、発生した受信環境の劣化が一時的なものである場合には、再度のスキャンを行うことなしに、劣化発生前のプリセットテーブルを継続して利用可能とすることを課題とする。
【課題を解決するための手段】
【００１１】
前記課題達成のために、本発明は、デジタルテレビ放送を受信するデジタルテレビ放送受信装置に、複数の放送局を登録したプリセットテーブルと、プリセットテーブルに登録された放送局のうちから選択された放送局を視聴対象放送局として、視聴対象放送局のデジタルテレビ放送を受信し、ユーザに対して出力する視聴対象放送局受信手段と、前記視聴対象放送局の受信品質が劣化したときに、良好に受信可能な放送局を探索し、探索した放送局のうちに、プリセットテーブルに登録されている放送局と同じ放送局が存在するかどうかを判定し、存在した場合に、プリセットテーブルの各放送局の登録を維持し、存在しなかった場合に、プリセットテーブルの各放送局の登録を解除して、プリセットテーブルに、探索した各放送局を登録するプリセットテーブル更新手段とを備えたものである。
【００１２】
ここで、このようなデジタルテレビ放送受信装置では、前記プリセットテーブル更新手段において、前記探索した放送局のうちに、プリセットテーブルに登録されている放送局と同じ放送局が存在し、かつ、前記探索した放送局のうちに、プリセットテーブルに登録されていない放送局が存在した場合に、当該探索したプリセットテーブルに登録されていない放送局を、前記プリセットテーブルに追加登録するように構成してもよい。
【００１３】
また、以上のデジタルテレビ放送受信装置では、前記プリセットテーブルを、当該プリセットテーブルに登録された放送局と対応づけて、当該放送局の周波数チャネルが登録されているものとし、前記プリセットテーブル更新手段において、前記探索した放送局のうちに存在したプリセットテーブルに登録されている放送局と同じ放送局の周波数チャネルである探索周波数チャネルが、当該探索周波数チャネルの放送局と同じ放送局に対応づけて前記プリセットテーブルに登録されている周波数チャネルと異なる場合には、当該プリセットテーブルに登録されている周波数チャネルを、前記探索周波数チャネルに更新するようにしてもよい。
【００１４】
また、以上のデジタルテレビ放送受信装置は、自動車に搭載されるデジタルテレビ放送受信装置であってもよい。
以上のようなデジタルテレビ放送受信装置によれば、ユーザが視聴中の放送局の受信品質が劣化したときに行う良好に受信できる放送局の探索において、良好に受信できる放送局としてプリセットテーブルに登録されている放送局が一つでも探索された場合には、プリセットテーブルに登録されている各放送局の登録を解除せずに、そのまま維持する。
【００１５】
ここで、探索において、良好に受信できる放送局としてプリセットテーブルに登録されている放送局が一つでも探索された場合には、受信品質の劣化が、それまで受信できていた放送局の放送エリアの逸脱によるものではなく、一時的な受信環境の劣化によるものと考えられる。
【００１６】
したがって、本デジタルテレビ放送受信装置によれば、一時的な受信環境の劣化が発生した場合には、劣化発生前のプリセットテーブルを継続して利用することができるようになる。
【発明の効果】
【００１７】
以上のように、本発明によれば、受信環境の劣化時にスキャンを行ってプリセットテーブルの更新を行うデジタルテレビ放送受信装置において、発生した受信環境の劣化が一時的なものである場合には、再度のスキャンを行うことなしに、劣化発生前のプリセットテーブルを継続して利用可能とすることができる。
【図面の簡単な説明】
【００１８】
【図１】本発明の実施形態に係るデジタルテレビ放送受信装置の構成を示すブロック図である。
【図２】本発明の実施形態に係るプリセットテーブルを示す図である。
【図３】本発明の実施形態に係るデジタルテレビ放送受信装置の表示画面を示す図である。
【図４】本発明の実施形態に係るプリセットテーブル更新処理を示すフローチャートである。
【図５】本発明の実施形態に係るプリセットテーブル更新処理の処理例を示す図である。
【発明を実施するための形態】
【００１９】
以下、本発明の実施形態について、自動車に搭載される、地上デジタルテレビ放送を受信するデジタルテレビ放送受信装置への適用を例にとり説明する。
図１に、本実施形態に係るデジタルテレビ放送受信装置の構成を示す。
図示するように、デジタルテレビ放送受信装置は、地上波デジタルＴＶ放送を受信するチューナ１、制御装置２、メモリ３、入力装置４、出力処理部５、アンプやスピーカなどを備えた音声出力装置６、表示装置７とを備えている。
【００２０】
そして、チューナ１は、アンテナ１１、フロントエンド部１２、復調部１３、ビデオデコーダ１４を備えている。
このような構成において、チューナ１は、地上波デジタルＴＶ放送を受信し、放送で受信した映像信号や音声信号を出力処理部５に出力する。
出力処理部５は、制御装置２の制御に従って、チューナ１から入力する映像信号を表示装置７に表示したり、チューナ１から入力する音声信号を音声出力装置６に出力したり、制御装置２から入力する操作画面を表示装置７に表示する処理を行う。
【００２１】
そして、制御装置２は、各種ユーザ操作受付用の操作画面を出力処理部５を介して表示装置７に表示したり、入力装置４で受け付けたユーザ操作に応じてチューナ１や出力処理部５の動作を制御する処理などを行う。
【００２２】
次に、チューナ１において、フロントエンド部１２は、制御装置２から受信チャネルとして指定された周波数チャネルを受信し、受信信号を復調部１３に出力する。復調部１３は、入力する受信信号に対してOFDM復調やビタビ復号などの復調／復号処理を行ってTS（Transport Stream）を復元し、ビデオデコーダ１４に送ると共に、受信チャネルとして指定された周波数チャネルから受信したNIT(Network Information Table)やSDT(Service Description Table）を制御装置２に送る。
【００２３】
ビデオデコーダ１４は、TSから映像信号と音声信号と各種制御情報をデコードし、デコードした映像信号と音声信号とを出力処理部５に出力し、デコードした各種制御情報を制御装置２に出力する。
【００２４】
また、復調部１３は、フロントエンド部１２の受信電界強度などを参照して、現在の受信チャネルの受信信号のC/N（Carrier to Noise Ratio;搬送波電力対雑音電力比）や、BER（Bit Error Rate;ビット誤り率）や、受信信号に対するOFDM、(Orthogonal Frequency Division Multiplexing)の同期確立の有無を受信信号の受信状態として測定し制御装置２に通知する。
【００２５】
次に、メモリ３に格納するプリセットテーブルについて説明する。
図２に示すようにプリセットテーブルには、１から１２までのプリセット番号（Remote Control Key ID）が登録された１２のエントリを有し、各エントリには、一つの放送局に対応し、各エントリには対応する放送局の情報が登録されている。すなわち、各エントリには、対応する放送局の放送局名、当該放送局のNID(Network identification）、TSID(Transport Stream ID )、SID(Service ID)、対応する放送局の放送が行われている周波数チャネルが登録されている。
【００２６】
プリセットテーブルの各エントリに対応する放送局は、基本的には現在良好に放送を受信可能な周波数チャネルで放送されている放送局あり、各放送局に対応するエントリのプリセット番号（Remote Control Key ID）、放送局名、NID、TSID、SIDは、対応する放送局が放送されている現在良好に受信可能な周波数チャネルから復調部１３が取得したNITやSDTに含まれているものを登録する。
【００２７】
そして、制御装置２は、図３に示すように、出力処理部５に、表示装置７に、チューナ１から入力する映像信号が表す映像３０１を表示させるとともに、プリセットテーブルに登録された、プリセット番号と放送局名のセットのリスト３０２を表示させ、１から１２までのプリセット番号の指定を入力装置４で受け付けると、指定されたプリセット番号のエントリの周波数チャネルに、フロントエンド部１２に指定する受信チャネルを変更することにより、チューナ１で受信出力する周波数チャネルを、ユーザから指定されたプリセット番号に対してプリセットテーブルに登録している周波数チャネルに切り替える。
【００２８】
次に、放送受信機の制御装置２が、プリセットテーブルとサブプリセットテーブルの各エントリへの情報登録のために行うプリセットテーブル更新処理について説明する。
ここで、このスキャン処理は、デジタルテレビ放送受信装置が初めて起動されたときに行われるほか、復調部１３が測定している受信状態が、受信中の放送の受信品質が所定のレベルより劣化したことを示したときに行われる。
【００２９】
図４に、このプリセットテーブル更新処理の手順を示す。
図示するように、このプリセットテーブル更新処理では、チューナ１のフロントエンド部１２に各周波数チャネルをスキャンさせて、良好に受信可能な周波数チャネルを探索し、良好に受信可能な各放送局の周波数チャネル、プリセット番号、放送局名、NID、TSID、SIDを取得する（ステップ４０２）。
【００３０】
そして、次に、探索した良好に受信可能な周波数チャネルの放送局のうちに、プリセットテーブルに登録されている放送局と同じ放送局が存在するかどうかを調べる（ステップ４０４）。ここで、放送局の異同は、たとえばNIDとSIDのセットが等しい周波数チャネルの放送局は同じ放送局であり、異なる周波数チャネルの放送局は異なる放送局とすることに定める。
【００３１】
そして、同じ放送局が存在しなかった場合には、プリセットテーブルの内容をクリアし、プリセットテーブルの、探索した良好に受信可能な放送局の周波数チャネルで受信したプリセット番号（Remote Control Key ID）に対応するエントリに、その周波数チャネルの放送局の放送局名、NID、TSID、SID、周波数チャネルを登録することにより、プリセットテーブルを更新する（ステップ４１４）。
【００３２】
そして、プリセットテーブル更新処理を終了する。
一方、探索した良好に受信可能な周波数チャネルの放送局のうちに、プリセットテーブルに登録されている放送局と同じ放送局が存在した場合には、今回探索した、その放送局を良好に受信可能な周波数チャネルが、その放送局と同じ放送局に対してプリセットテーブルに登録されている周波数チャネルと異なる放送局が存在するかどうかを調べ（ステップ４０６）、存在しない場合には（ステップ４０６）、そのままステップ４０８に進む。
【００３３】
一方、今回探索した放送局のうちに、同じ放送局に対してプリセットテーブルに登録されている周波数チャネルと周波数チャネルが異なる放送局が存在する場合には、その放送局と同じ放送局のプリセットテーブルのエントリの周波数チャネルのみを、今回探索した、その放送局を良好に受信可能な周波数チャネルに更新し（ステップ４１０）、ステップ４０８に進む。
【００３４】
次に、ステップ４０８に進んだならば、探索した良好に受信可能な周波数チャネルの放送局のうちに、プリセットテーブルに登録されていない放送局が存在するかどうかを調べる。
【００３５】
そして、存在しない場合には（ステップ４０８）、プリセットテーブルを、プリセットテーブル更新処理実行前の状態のまま維持し、プリセットテーブル更新処理を終了する。
一方、プリセットテーブルに登録されていない放送局が存在した場合には（ステップ４０８）、存在した放送局の周波数チャネルルで受信したプリセット番号に対応するエントリに、その放送局の放送局名、NID、TSID、SID、周波数チャネルを追加登録する（ステップ４１０）。
【００３６】
ただし、プリセットテーブルの、存在した放送局の周波数チャネルルで受信したプリセット番号に対応するエントリに、既に、他の放送局が登録されている場合には、プリセットテーブルの、放送局が登録されていない空きのエントリに、その放送局の放送局名、NID、TSID、SID、周波数チャネルを追加登録するようにする。
【００３７】
そして、プリセットテーブル更新処理を終了する。
以上、制御装置２が行うプリセットテーブル更新処理について説明した。
以下、このようなプリセットテーブル更新処理の処理例について説明する。
いま、図５ａに示すように、デジタルテレビ放送受信装置を搭載した自動車が、地点P1、P2、P3と進行する場合において、地点P1において、デジタルテレビ放送受信装置は放送局Ａ、Ｂ、Ｃを良好に受信でき、プリセットテーブルPTには放送局Ａ、Ｂ、Ｃが登録されており、ユーザは放送局Ａを視聴しているものとする。
【００３８】
そして、地点P2付近に進行した時点において、一時的に受信環境が劣化し、放送局Ａの受信品質が劣化するとプリセットテーブル更新処理が実行される。ただし、このとき放送局Ａの受信品質は放送を正常に受信できないほどには劣化していないものとする。
【００３９】
そして、このプリセットテーブル更新処理のスキャンにおいて、良好に受信できる放送局として、放送局Ｂのみが探索された場合、放送局ＢはプリセットテーブルPTに登録されているので、プリセットテーブルPTは放送局Ａ、Ｂ、Ｃが登録された状態のまま維持され、ユーザの放送局Ａの視聴も、リスト３０２の放送局Ａ、Ｂ、Ｃの表示もそのまま継続される。
【００４０】
そして、地点P2付近から離れ地点P3に移動すると、受信環境の劣化は解消され、プリセットテーブルPTに登録されている放送局Ａ、Ｂ、Ｃを良好に受信できる状態に復帰する。
次に、図５ｂに示すように、デジタルテレビ放送受信装置を搭載した自動車が、地点P4、P5と進行する場合において、地点P1は、放送局Ａ、Ｂ、Ｃの放送エリア内にあり、デジタルテレビ放送受信装置は放送局Ａ、Ｂ、Ｃを良好に受信でき、プリセットテーブルPTには放送局Ａ、Ｂ、Ｃが登録されており、ユーザは放送局Ａを視聴しているものとする。また、地点P5は、放送局Ａ、Ｂ、Ｃの放送エリア外の、放送局Ｄ、Ｅ、Ｆの放送エリア内にあるものとする。
【００４１】
この場合、地点P5に進んでいくと、放送局Ａの受信品質が劣化しプリセットテーブル更新処理が実行される。
そして、このプリセットテーブル更新処理のスキャンにおいては、放送局Ａ、Ｂ、Ｃの放送エリアを離れ、放送局Ｄ、Ｅ、Ｆの放送エリア内に進んでいることより、良好に受信可能な放送局として放送局Ａ、Ｂ、Ｃは探索されず、放送局Ｄ、Ｅ、Ｆのみが探索される。
【００４２】
そして、プリセットテーブルPTに登録されている放送局が探索されなかったことより、プリセットテーブルPTはクリアされ、プリセットテーブルPTには探索された放送局Ｄ、Ｅ、Ｆが登録される。
【００４３】
ここで、視聴中の放送局の受信品質が劣化したときに行う良好に受信できる放送局のスキャンにおいて、良好に受信できる放送局としてプリセットテーブルに登録されている放送局が一つでも探索された場合には、受信品質の劣化が、それまで受信できていた放送局の放送エリアの逸脱によるものではなく、一時的な受信環境の劣化によるものと考えられる。
【００４４】
一方、当該スキャンにおいて、良好に受信できる放送局としてプリセットテーブルに登録されている放送局が一つも探索されなかった場合には、受信品質の劣化が、一時的な受信環境の劣化によるものではなく、それまで受信できていた放送局の放送エリアからの逸脱によるものと考えられる。
【００４５】
したがって、以上のようにプリセットテーブル更新処理によって、視聴中の放送局の受信品質が劣化したときに行う良好に受信できる放送局のスキャンにおいて、良好に受信できる放送局としてプリセットテーブルに登録されている放送局が一つでも探索された場合には、プリセットテーブルを更新せずに、そのまま維持することにより、受信環境の劣化時にスキャンを行ってプリセットテーブルの更新を行うデジタルテレビ放送受信装置において、発生した受信環境の劣化が一時的なものである場合に、再度のスキャンを行うことなしに、劣化発生前のプリセットテーブルを継続して利用可能とすることができる。
【符号の説明】
【００４６】
１…チューナ、２…制御装置、３…メモリ、４…入力装置、５…出力処理部、６…音声出力装置、７…表示装置、１１…アンテナ、１２…フロントエンド部、１３…復調部、１４…ビデオデコーダ、３０１…映像、３０２…リスト。
【図１】
2020053900.tif 000003
【図２】
2020053900.tif 000004
【図３】
2020053900.tif 000005
【図４】
2020053900.tif 000006
【図５】
2020053900.tif 000007